(57)【要約】【課題】クラッチ機構のローラが中立位置にある状態で入力側部材及び保持器と共に出力側部材の円筒面に対して高速回転することによるローラや円筒面の摩耗を防ぐ。【解決手段】保持器１８が、周方向にローラ１７と当接可能なポケット面２４を有する。ポケット面２４が、中立位置で円筒面１５に接触するローラ１７の中心軸よりも外方側の位置でローラ１７に接触し、かつ内方側に向かって次第にローラ１７から遠ざかる形状を有する。これにより、そのローラ１７に対して内方側に向けた荷重が発生し、円筒面１５に対するローラ１７の引き摺りトルクが低減される。【選択図】図１
2019157968.tif 000002
【特許請求の範囲】
【請求項１】
入力側部材（１）と、前記入力側部材（１）の外方に配置された内周部（７）を有する出力側部材（２）と、前記入力側部材（１）と前記出力側部材（２）間で回転トルクの伝達と遮断を行うクラッチ機構（３）とを備え、
前記クラッチ機構（３）が、前記出力側部材（２）の前記内周部（７）に設けられた円筒面（１５）と、前記入力側部材（１）に設けられ前記円筒面（１５）との間にくさび空間を形成するカム面（１６）と、前記円筒面（１５）と前記カム面（１６）との間に配置されたローラ（１７）と、前記ローラ（１７）を保持する保持器（１８）とを有し、
前記保持器（１８）が、周方向に前記ローラ（１７）と当接可能なポケット面（２４）を有し、前記ローラ（１７）が、前記保持器（１８）の相対回転によって前記円筒面（１５）及び前記カム面（１６）に係合する係合位置と、当該係合を解除する中立位置との間を移動可能に配置されている回転伝達装置において、
前記ポケット面（２４）が、前記中立位置で前記円筒面（１５）に接触する前記ローラ（１７）の中心軸よりも外方側の位置で当該ローラ（１７）に接触可能であってかつ内方側に向かって次第に当該ローラ（１７）から遠ざかる形状を有することを特徴とする回転伝達装置。
【請求項２】
前記ポケット面（２４）が、一定の傾斜角（θ）を有する斜面からなる請求項１に記載の回転伝達装置。
【請求項３】
前記保持器（１８）が、周方向に並ぶ複数の柱部（２１）と、これら柱部（２１）の軸方向一方側に連続する第一環部（２２）と、これら柱部（２１）の軸方向他方側に連続する第二環部（２３）とを有し、前記ポケット面（２４）が、前記柱部（２１）に形成されており、前記ローラ（１７）が、周方向に隣り合う前記柱部（２１）間に収容されている請求項１又は２に記載の回転伝達装置。
【発明の詳細な説明】
【技術分野】
【０００１】
この発明は、動力伝達経路における動力の伝達と遮断の切り替えに用いられる回転伝達装置に関する。
【背景技術】
【０００２】
従来、回転伝達装置として、入力側部材と、この入力側部材の外方に配置された内周部を有する出力側部材と、それら入力側部材と出力側部材間で回転トルクの伝達と遮断を行うクラッチ機構とを備えるものが知られている。そのクラッチ機構は、出力側部材の内周部に設けられた円筒面と、入力側部材に設けられ前記円筒面との間にくさび空間を形成するカム面と、円筒面とカム面との間に配置されたローラと、ローラを保持する保持器とを有する。保持器は、周方向にローラと当接可能なポケット面を有する。ローラは、カム面に対する保持器の相対回転によって円筒面及びカム面に係合する係合位置と、当該係合を解除する中立位置との間を移動可能に配置されている。保持器とカム面間の相対回転を制御する手段として、電磁アクチュエータが利用されている。
【０００３】
例えば、特許文献１、２のような回転伝達装置は、スイッチばねと、電磁石と、ロータと、アーマチュアとを備える。スイッチばねは、入力側部材に対する保持器の相対回転により弾性変形させられ、その復元弾性によりローラが中立位置に移動するように保持器を復帰回転させる。アーマチュアは、軸方向に移動可能に支持されており、電磁石の電磁コイルに対する通電により、保持器に対して回り止めされる。ロータは、出力側部材に回り止めされている。アーマチュアが、前述の通電により、ロータに吸着されると、保持器が、アーマチュア、ロータを介して出力側部材に接続され、その保持器と入力側部材の相対回転により、ローラが出力側部材の円筒面および入力側部材のカム面に係合させられ、入力側部材と出力側部材間において回転トルクが伝達される。前述の通電を解除すると、スイッチばねのばね力により保持器が復帰回転させられ、この保持器のポケット面に周方向に押されるローラが中立位置に移動させられ、円筒面及びカム面に対するローラの係合が解除される。
【先行技術文献】
【特許文献】
【０００４】
【特許文献１】特開２００７−２４７７１３号公報
【特許文献２】特開２００５−９０６７８号公報
【発明の概要】
【発明が解決しようとする課題】
【０００５】
上述のようなクラッチ機構においては、ローラが中立位置にある状態で入力側部材が高速に回転する場合、その入力側部材のカム面と保持器のポケット面に保持されたローラが入力側部材及び保持器と共に高速に回転する。このため、ローラに作用する遠心力によりローラが出力側部材の円筒面に押し付けられ、その状態で入力側部材及び保持器と共に円筒面に対して相対的に高速回転し続けるため、円筒面とローラの接触部で引き摺りトルクが増大し、ローラや円筒面が摩耗する可能性があった。
【０００６】
そこで、この発明が解決しようとする課題は、クラッチ機構のローラが中立位置にある状態で入力側部材及び保持器と共に出力側部材の円筒面に対して高速回転することによるローラや円筒面の摩耗を防ぐことである。
【課題を解決するための手段】
【０００７】
上記の課題を達成するため、この発明は、入力側部材と、前記入力側部材の外方に配置された内周部を有する出力側部材と、前記入力側部材と前記出力側部材間で回転トルクの伝達と遮断を行うクラッチ機構とを備え、前記クラッチ機構が、前記出力側部材の前記内周部に設けられた円筒面と、前記入力側部材に設けられ前記円筒面との間にくさび空間を形成するカム面と、前記円筒面と前記カム面との間に配置されたローラと、前記ローラを保持する保持器とを有し、前記保持器が、周方向に前記ローラと当接可能なポケット面を有し、前記ローラが、前記保持器の相対回転によって前記円筒面及び前記カム面に係合する係合位置と、当該係合を解除する中立位置との間を移動可能に配置されている回転伝達装置において、前記ポケット面が、前記中立位置で前記円筒面に接触する前記ローラの中心軸よりも外方側の位置で当該ローラに接触可能であってかつ内方側に向かって次第に当該ローラから遠ざかる形状を有する構成を採用したものである。
【０００８】
上記構成によれば、中立位置のローラが遠心力によって円筒面に接触する状態のとき、そのローラの中心軸よりも外方側の位置でローラとポケット面が接触する。そのポケット面が内方側に向かって次第にそのローラから遠ざかる形状を有するため、そのローラに対して内方側に向けた荷重が発生する。このため、遠心力によりローラが円筒面に押付けられる荷重が低減される。これにより、ローラと円筒面間の引き摺りトルクが低減されるので、ローラや円筒面の摩耗を防止することができる。
【０００９】
具体的には、前記ポケット面が、一定の傾斜角を有する斜面からなることが好ましい。このようにすると、遠心力による保持器の拡径変形でポケット面が変位しても、ポケット面とローラが一定の角度で接触するため、空転速度に応じた荷重を発生させることができる。
【００１０】
また、前記保持器が、周方向に並ぶ複数の柱部と、これら柱部の軸方向一方側に連続する第一環部と、これら柱部の軸方向他方側に連続する第二環部とを有し、前記ポケット面が、前記柱部に形成されており、前記ローラが、周方向に隣り合う前記柱部間に収容されているとよい。このような保持器は、両持ち梁の柱部になるので、ローラに対する内方側に向けた荷重の発生時に柱部の撓み変形を抑えて当該荷重の損失を防ぐことができる。
【発明の効果】
【００１１】
上述のように、この発明は、上記構成の採用により、クラッチ機構のローラが中立位置にある状態で入力側部材及び保持器と共に出力側部材の円筒面に対して高速回転する際、ローラと円筒面間の引き摺りトルクが低減されるので、ローラや円筒面の摩耗を防ぐことができる。
【図面の簡単な説明】
【００１２】
【図１】この発明の実施形態に係る回転伝達装置のローラと保持器の接触態様を示す断面図
【図２】図１の回転伝達装置の全体的な構造を示す断面図
【発明を実施するための形態】
【００１３】
この発明の一例としての実施形態を図１〜図２に基づいて説明する。図１、図２に示すように、実施形態に係る回転伝達装置は、入力側部材１と、入力側部材１と同軸上に配置された出力側部材２と、入力側部材１と出力側部材２間で入力側部材１から出力側部材２への回転の伝達と遮断とを行なうクラッチ機構３とを備える。
【００１４】
以下、入力側部材１と出力側部材２の軸線（回転中心線）に沿った方向を「軸方向」という。また、その軸方向に直交する方向を「径方向」という。また、その軸線回りの円周方向を「周方向」という。
【００１５】
クラッチ機構３は、筒状のハウジング４によって覆われている。
【００１６】
入力側部材１は、動力伝達経路の構成要素となる軸である。入力側部材１は、中空軸状に形成されている。入力側部材１の内周側には、外部から回転トルクを伝達する入力軸Ｓが連結されている。入力軸Ｓは、ハウジング４の軸方向一方側（図２において左側）の開口部５に挿通されている。ハウジング４の開口部５と入力軸Ｓとの間にシールないし軸受６が設けられている。シール６の場合、軸Ｓとハウジング４間を密封するためのものである。軸受６の場合、入力軸Ｓをハウジング４に対して回転自在に支持するためのものであり、シール付転がり軸受を採用してシールを兼ねてもよい。
【００１７】
出力側部材２は、動力伝達経路の構成要素となる軸であって、クラッチ機構３から回転トルクを伝達される部材である。出力側部材２は、入力側部材１の外方に配置された内周部７と、ハウジング４の軸方向他方側（図２において右側）から外部へ延びる軸部８とを有する。出力側部材２の外周とハウジング４の内周との間に軸受９が設けられている。軸受９は、出力側部材２をハウジング４に対して回転自在かつ軸方向に非可動に支持するためのものである。軸部８は、動力伝達経路の他の構成要素に連結される。
【００１８】
なお、出力側部材２として内周部７と軸部８とが一体の部材に形成された例を示したが、出力側部材に軸部は必須でなく、他の軸を出力側部材に連結するようにしてもよい。また、入力側部材１として入力軸Ｓに連結されるものを例示したが、入力側部材に軸部を一体に形成し、その軸部を他の構成要素に連結するようにしてもよい。それらの連結手段は特に限定されず、例えば、セレーション嵌合、スプライン嵌合、キーによる連結等が挙げられる。
【００１９】
出力側部材２の外周とハウジング４の軸方向他方側との間にシール１０が設けられている。シール１０は、外部からの異物侵入、ハウジング４内から外部への流動性潤滑剤の漏洩を防止するためのものである。
【００２０】
入力側部材１は、入力側部材１の軸方向中間位置で径方向に突き出たカムリング部１１と、カムリング部１１に対して軸方向一方側に位置する第一端部１２と、カムリング部１１に対して軸方向他方側に位置する第二端部１３とを有する。第二端部１３の外周と出力側部材２の内周部７との間に軸受１４が設けられている。軸受１４は、入力側部材１を出力側部材２に対して回転自在に支持するためのものである。
【００２１】
クラッチ機構３は、出力側部材２の内周部７に設けられた円筒面１５と、入力側部材１のカムリング部１１の外周に設けられたカム面１６と、円筒面１５とカム面１６との間に配置されたローラ１７と、ローラ１７を保持する保持器１８と、保持器１８の位相をばね力で保持するスイッチばね１９と、クラッチ機構３の係合、解除を制御する電磁アクチュエータ２０とを有する。
【００２２】
円筒面１５は、周方向全周に連続する。カム面１６は、円筒面１５との間にくさび空間を形成する。そのくさび空間は、カム面１６の周方向中央から周方向両端に向かって次第に狭小となっている。すなわち、カム面１６と円筒面１５との間の径方向の距離は、カム面１６の周方向中央に位置する図１のローラ１７の位置から周方向の一方向（図１において左回り）に向かって次第に小さくなり、また、当該ローラ１７の位置から周方向の他方向（図１において右回り）に向かって次第に小さくなっている。なお、カム面１６を単一平面で構成した例を示したが、カム面を複数の面で構成してもよいし、単一の曲面で構成することも可能である。
【００２３】
入力側部材１の外周には、周方向に間隔をおいて複数のカム面１６が形成されている。すなわち、複数のくさび空間が形成され、各くさび空間にローラ１７が配置されている。
【００２４】
ローラ１７は、円筒ころ状に形成されている。ローラ１７は、カム面１６に対する保持器１８の相対回転によって円筒面１５及びカム面１６に係合する係合位置と、円筒面１５及びカム面１６との係合を解除する中立位置との間を移動可能に配置されている。ローラ１７は、入力側部材１に対して保持器１８が相対回転した際、円筒面１５およびカム面１６に係合して、入力側部材１と出力側部材２間で回転トルクを伝達する。
【００２５】
保持器１８は、周方向に並ぶ複数の柱部２１と、これら柱部２１の軸方向一方側に連続する第一環部２２と、これら柱部２１の軸方向他方側に連続する第二環部２３とを有する。周方向に隣り合う柱部２１間の空間が、ローラ１７を収容する空間になっている。
【００２６】
柱部２１に外接する仮想円の直径（柱部２１の外径）は、ローラ１７の中心軸Ｏを通る仮想円の直径（ローラ１７のピッチ円直径）よりも大径に設定され、柱部２１に内接する仮想円の直径（柱部２１の内径）は、ローラ１７のピッチ円直径よりも小径に設定されている。
【００２７】
柱部２１は、図１に示すように、ローラ１７と周方向に当接可能なポケット面２４を有する。ポケット面２４は、各柱部２１の周方向両側にそれぞれ形成されている。ローラ１７は、周方向に対向するポケット面２４との当接により、カム面１６に対する周方向位置が制限され、また、保持器１８と共に強制的に回転させられる。
【００２８】
ポケット面２４は、中立位置で円筒面１５に接触するローラ１７の中心軸Ｏよりも外方側（径方向に関して保持器１８の外径側）の位置で当該ローラ１７に接触可能であってかつ内方側（径方向に関して保持器１８の内径側）に向かって次第に当該ローラ１７から遠ざかる形状を有する。
【００２９】
図の例では、ポケット面２４が、一定の傾斜角θをもった傾斜面からなる。ここで、傾斜角θは、周方向に隣り合う柱部２１間の空間を周方向に二等分する仮想アキシアル平面Ｐｖａ（前述の軸線を含む平面）とポケット面２４が成す鋭角である。
【００３０】
なお、ポケット面は、傾斜面状に限定されず、例えば、ローラ１７の転動面における曲率に比して小さな曲率を有する円弧面状にすることができる。また、ポケット面２４が柱部２１の径方向厚さの全域に形成された例を示したが、ポケット面は、中立位置のローラが円筒面に接触する状態で当該ローラと接触し得る範囲の保持器部分にあればよい。
【００３１】
図２に示すように、保持器１８の第二環部２３は、内向きのフランジを有する。第二環部２３は、そのフランジの内周において入力側部材１の第二端部１３の外周に回転自在に嵌合されている。保持器１８は、第二環部２３のフランジにおいて、カムリング部１１と止め輪２５とにより、軸方向に位置決めされている。止め輪２５は、第二端部１３に形成された止め輪溝に取り付けられている。
【００３２】
保持器１８の全体的な形状は、例えば、金属板を素材としたプレス加工や、粉末冶金によって形成される。プレス加工で保持器１８の全体的な形状を形成する場合、例えば、金属板として鋼板を用い、ポケット面２４の形状は、例えば、柱部に対する面押し加工、削り出し等の方法で形成することができる。
【００３３】
図２に示すスイッチばね１９は、入力側部材１に対する保持器１８の相対回転により弾性変形し、その復元弾性によって当該保持器１８を復帰回転させる弾性部材からなり、ローラ１７が中立位置となるように保持器１８を弾性的に保持する。スイッチばね１９は、入力側部材１の第一端部１２上に配置されている。クラッチ機構３は、スイッチばね１９を第一端部１２上に保つばね保持リング２６を有する。
【００３４】
スイッチばね１９は、Ｃ形のリング部の両端に一対の係合片２７を外向きに形成した金属ばねからなる。スイッチばね１９のリング部は、第一端部１２の外周に通され、入力側部材１に形成された凹部２８内に嵌合されている。凹部２８は、カムリング部１１の端面において軸方向に一定の深さをもっている。スイッチばね１９の一対の係合片２７は、凹部２８の外側壁に形成された切欠部から、保持器１８の第一環部２２に形成された切欠部２９内に挿入されている。スイッチばね１９の一対の係合片２７は、凹部２８の切欠部、保持器１８の切欠部２９を周方向の相反する方向に向かって押圧する。その押圧によって、保持器１８は、ローラ１７が中立位置となる位相に保持される。
【００３５】
ばね保持リング２６は、入力側部材１の第一端部１２の外周および保持器１８の第一環部２２の内周に嵌合されている。ばね保持リング２６は、第一端部１２の外周に取り付けられた止め輪３０により、軸方向一方側への移動が阻止されている。このため、凹部２８からのスイッチばね１９の脱出は、ばね保持リング２６によって防止される。
【００３６】
電磁アクチュエータ２０は、保持器１８の第一環部２２と軸方向に対向するアーマチュア３１と、アーマチュア３１と軸方向に対向するロータ３２と、ロータ３２と軸方向に対向する電磁石３３と、アーマチュア３１をロータ３２から離反する方向に押圧する離反ばね３４とを有する。
【００３７】
アーマチュア３１は、入力側部材１の第一端部１２の外周にスライド自在に嵌合されている。アーマチュア３１は、保持器１８に対して回り止めされている。アーマチュア３１には、回り止め用の係合孔部４３が形成されている。保持器１８は、第一環部２２から係合孔部４３内へ延びる突片部４４を有する。突片部４４は、アーマチュア３１のストロークの全範囲で係合孔部４３と周方向に係合可能である。その係合により、アーマチュア３１は、保持器１８に対して軸方向に移動可能な状態で回り止めされている。なお、アーマチュアと保持器の回り止めは、特許文献２のようにコネクティングプレートを介在させる構造にしてもよい。
【００３８】
ロータ３２は、内方円筒部と、この内方円筒部の外方に位置する外方円筒部とを有する。ロータ３２は、その外方円筒部の外周においてロータガイド４５内に圧入されている。ロータガイド４５は、出力側部材２の外周端部に取り付けられている。ロータ３２は、ロータガイド４５を介して出力側部材２に対して回り止めされている。このため、ロータ３２は、出力側部材２と一体に回転することができる。なお、ロータガイド４５は、非磁性体によって形成されている。
【００３９】
ロータ３２の内方円筒部の内周と入力軸Ｓの外周との間に軸受４６が設けられている。軸受４６は、ロータ３２を入力軸Ｓに対して回転自在に支持するためのものである。
【００４０】
電磁石３３は、フィールドコア４７と、フィールドコア４７に支持された電磁コイル４８とからなる。電磁石３３ は、ロータ３２の内方円筒部と外方円筒部との間の空間に配置されている。フィールドコア４７は、ハウジング４の閉塞端に回転不可な状態に支持されている。
【００４１】
離反ばね３４は、アーマチュア３１とロータ３２の対向面間に介在している。アーマチュア３１がロータ３２から軸方向に離反する量は、止め輪３０により制限される。なお、止め輪３０は、ばね保持リング２６の規制用と兼用にしたが、別途に設けてもよい。
【００４２】
実施形態に係る回転伝達装置の動作について説明する（図１、図２を適宜、参照）。先ず、電磁アクチュエータ２０の電磁コイル４８への通電が遮断されている状態では、ローラ１７が中立位置にあり、保持器１８は、スイッチばね１９のばね力により、カム面１６に対してローラ１７を中立位置に保つ位相に保持される。このため、入力軸Ｓが図１における左回り又は右回りのいずれに回転したとしても、入力軸Ｓと一体に回転する入力側部材１の回転トルクは、出力側部材２に伝達されず、出力側部材２に対して入力側部材１が空転（フリー回転）する。つまり、クラッチ機構３は、入力側部材１から出力側部材２への回転トルクの伝達を遮断する係合解除状態にある。
【００４３】
この係合解除状態のとき、入力側部材１の回転は、スイッチばね１９を介して保持器１８に伝達され、保持器１８及びローラ１７が共に回転する。また、アーマチュア３１は、保持器１８に回り止めされているため、アーマチュア３１も共に回転する。
【００４４】
入力側部材１が回転する状態において、電磁コイル４８に通電すると、アーマチュア３ １ に吸引力が付与される。このため、アーマチュア３１は、離反ばね３４の弾性に抗して移動し、ロータ３２に吸着される。
【００４５】
ロータ３２とアーマチュア３１の吸着面に作用する摩擦抵抗は、保持器１８の回転抵抗となる。その摩擦抵抗は、スイッチばね１９のばね力よりも予め大きな値に設定されている。このため、スイッチばね１９が弾性変形を生じて、保持器１８が入力側部材１に対して相対回転する。その相対回転により、ローラ１７は、円筒面１５とカム面１６間のくさび空間の狭小部に押し込まれて円筒面１５及びカム面１６に係合する。このため、入力側部材１の回転トルクは、ローラ１７を介して出力側部材２に伝達される。つまり、クラッチ機構３は、入力側部材１から出力側部材２への回転トルクを伝達する係合状態にある。
【００４６】
この係合状態において、電磁コイル４８ に対する通電を遮断すると、離反ばね３４の押圧により、アーマチュア３１はロータ３２から離反して、止め輪３０に当接する位置まで移動する。また、アーマチュア３１がロータ３２から離反すると、スイッチばね１９のばね力により、保持器１８が入力側部材１に対して係合時の逆方向に回転し、柱部２１のポケット面２４に押されたローラ１７が中立位置に戻る。このため、クラッチ機構３は、係合解除状態に戻る。
【００４７】
例えば、図１に示すように、クラッチ機構３が係合解除状態にあって入力側部材１が右回り（矢線Ａ方向）に回転するとき、入力側部材１と保持器１８がスイッチばね１９によって弾性的に連結されているため、入力側部材１及び保持器１８が共に右回りに回転する。その保持器１８の柱部２１のポケット面２４に当接するローラ１７も保持器１８等と共に右回りに回転する。
【００４８】
このため、入力側部材１が高速に右回りに空転する場合、ローラ１７は、遠心力により径方向外方へ移動して円筒面１５に接触する。その接触部に作用する摩擦抵抗力μ１・Ｎにより、ローラ１７及び保持器１８を円筒面１５に対して引き摺る引き摺りトルクが発生する。この引き摺りトルクは、ローラ１７を自転させようとすると共に、スイッチばね１９のばね力に抗して作用し、入力側部材１に対して保持器１８を相対回転させようとする。このとき、ローラ１７は、右回りの回転において回転方向後ろ側となる図中左側の柱部２１のポケット面２４に接触する。
【００４９】
このとき、ポケット面２４が、中立位置にあるローラ１７の中心軸Ｏよりも外方側の位置でローラ１７に接触し、かつ内方側に向かって次第にローラ１７から遠ざかる形状であるため、そのポケット面２４とローラ１７の接触部において、ローラ１７に対して内方側に向けた荷重（摩擦抵抗力μ２・Ｆ）が発生する。このため、遠心力によりローラ１７が円筒面１５に押付けられる荷重が低減される。これにより、ローラ１７と円筒面１５間の引き摺りトルクが低減されるので、ローラ１７や円筒面１５の摩耗が防止される。
【００５０】
ここで、保持器１８の回転速度は、回転が入力される入力側部材１の空転速度で決まり、一定であるとは限らない。回転速度に応じた遠心力によって保持器１８に拡径変形が生じ、このため、ポケット面２４は、ローラ１７の円筒状転動面に対して径方向に僅かに変位する。ポケット面２４が一定の傾斜角θをもった斜面からなる場合、空転速度が変化しても、中立位置で円筒面１５に接触するローラ１７の円筒状転動面と、保持器１８のポケット面２４とは、傾斜角θに基づく一定の角度をもって接触し、ローラ１７に対する前述の荷重が空転速度に応じた大きさで発生する。
【００５１】
このように、図１〜図２に示す回転伝達装置は、クラッチ機構３のローラ１７が中立位置にある状態で入力側部材１及び保持器１８と共に出力側部材２の円筒面１５に対して高速回転する際、前述の引き摺りトルクが低減されるので、ローラ１７や円筒面１５の摩耗を防止することができる。また、前述の引き摺りトルクの低減による副次的な効果として、実施形態に係る回転伝達装置は、入力側部材１に対する保持器１８の不正回転を防止し、クラッチ機構３のミス係合の発生を防止することもできる。
【００５２】
また、実施形態に係る回転伝達装置は、遠心力による保持器１８の拡径変形でポケット面２４が変位しても、一定の傾斜角θを有するポケット面２４とローラ１７が一定の角度で接触するため、空転速度に応じた荷重を発生させることができる。
【００５３】
また、実施形態に係る回転伝達装置は、第一環部２２と第二環部２３による両持ち梁の柱部２１を有するので、ローラ１７に対する前述の荷重の発生時に柱部２１の撓み変形を抑えて当該荷重の損失を防ぐことができる。
【００５４】
今回開示された各実施形態はすべての点で例示であって制限的なものではないと考えられるべきである。したがって、本発明の範囲は上記した説明ではなくて特許請求の範囲によって示され、特許請求の範囲と均等の意味および範囲内でのすべての変更が含まれることが意図される。
【符号の説明】
【００５５】
１  入力側部材
２  出力側部材
３  クラッチ機構
７  内周部
１５  円筒面
１６  カム面
１７  ローラ
１８  保持器
２１  柱部
２２  第一環部
２３  第二環部
２４  ポケット面
【図１】
2019157968.tif 000003
【図２】
2019157968.tif 000004